(57)【要約】【課題】  従来の欠点を有しておらず、最適な溶融接着止めを保証する毛髪接着器具である。【解決手段】  Ｕ形部材の脚部（２）の間に少なくとも１つの中間壁（４；８）を備えているＵ字形の熱可塑性毛髪接着器具（９）である。中間壁は、Ｕ形部材の脚部（２）とほぼ平行に延在し、そのウェブ（３）から突出した縦壁（４）として実施してもよく、またはＵ形部材の脚部（２）に対してほぼ横向きに、かつウェブ（３）に対して垂直に延在し、これらを互いに連結する横壁（８）として実施してもよい。縦壁（４）も横壁（８）も備えることもできる。付け毛（６）は製造中、または別個の作業工程で、毛髪接着器具（９）内の脚部（２）、縦壁（４）、またはウェブ（３）に埋め込むことができる。【選択図】        図４
2004204426.tif 000002
【特許請求の範囲】
【請求項１】
Ｕ形部材の脚部（２）の間に少なくとも１つの中間壁（４；８）を備えていることを特徴とするＵ字形の熱可塑性毛髪接着器具。
【請求項２】
前記中間壁は、前記Ｕ形部材の前記脚部（２）とほぼ平行に延在し、そのウェブ（３）から突出した縦壁（４）として実施されることを特徴とする請求項１に記載の毛髪接着器具。
【請求項３】
前記中間壁は、前記Ｕ形部材の前記脚部（２）に対してほぼ横向きで、前記ウェブ（３）に対して垂直に延在し、これらを互いに連結する横壁（８）として実施されることを特徴とする請求項１に記載の毛髪接着器具。
【請求項４】
少なくとも２つの中間壁（４，８）を備え、そのうちの少なくとも１つは前記Ｕ形部材の前記脚部（２）の間にほぼ平行に延在し、そのウェブ（３）から突出した縦壁（４）として実施され、またそのうちの少なくとも１つは前記脚部（２）を連結し、前記ウェブ（３）上に垂直に直立した横壁（８）として実施されることを特徴とする請求項１に記載の毛髪接着器具。
【請求項５】
前記縦壁（４）は前記脚部（２）から突出することを特徴とする請求項２または４に記載の毛髪接着器具。
【請求項６】
前記脚部（２）は前記横壁（８）から突出することを特徴とする請求項３または４に記載の毛髪接着器具。
【発明の詳細な説明】
【技術分野】
【０００１】
本発明はＵ字形の熱可塑性毛髪接着器具に関する。
【背景技術】
【０００２】
このような器具は既に様々なバリエーションのものが知られている。そのような場合、Ｕ形部材の脚部は通常は互いに平行であり真直である。これらを連結するウェブは真直であるか、湾曲している。このような器具には付け毛が脚部内に、またはウェブだけに、または脚部にもウェブにも埋込まれる。これは例えば軟化したプラスチックで毛髪を被覆し、またはこれに毛髪を浸し、引き続いて型内でプレスすることによって行われる。毛髪接着器具を事前に製造し、引き続いて付け毛をプレスする方法も知られている。Ｕ字形の、熱可塑性の毛髪接着器具を備えた付け毛の房を人の頭に取り付ける際には、自毛の房の端部をＵ形部材の脚部の間に挿入し、その後で超音波または加熱ピンセット等で加熱し、圧縮することで、グリッパ部材の形状に応じた形状の溶融接着止めが生ずる。
【０００３】
このようなＵ字形毛髪接着器具の使用の経験上、溶融接着の途上で自毛も付け毛も充分には、または完全には被覆されないので、特に櫛で梳かした場合に付け毛が剥がれることがあることが判明している。
【発明の開示】
【発明が解決しようとする課題】
【０００４】
本発明の目的は、上記の欠点を有しておらず、最適な溶融接着止めを保証する毛髪接着器具である。
【課題を解決するための手段】
【０００５】
上記の目的は、Ｕ形部材の脚部の間に少なくとも１つの中間壁を備えた、本発明のＵ字形の熱可塑性毛髪接着器具によって達成される。
【０００６】
中間壁によって全体としてより多くの量の溶融接着材料を自由に使用できるだけでなく、これまで知られていたＵ字形の毛髪接着器具では材料が欠如していた局部的な領域でも材料を使用できるようになる。それによって毛髪の隙間の通り、または接着される付け毛と自毛の被覆状態が改善される。
【０００７】
中間壁は、Ｕ形部材の脚部とほぼ平行に延在し、そのウェブから突出した縦壁として実施することができる。このような種類の縦壁にはＵ形部材の脚部および／またはウェブを補足して付け毛の端部を埋め込むことができるので、溶融接着ごとに、より濃密な付け毛の房を取り付けることができる。
【０００８】
中間壁はさらに、Ｕ形部材の脚部に対してほぼ横向きで、かつウェブに対して垂直に延在し、これらを互いに連結する横壁として実施することができる。この場合は、各々の横壁は溶融接着の際の毛髪接着器具の圧縮の途上で比較的強い圧力にさらされるので、軟化したプラスチックは個々の毛髪の端部を特に良好に取り囲む。
【０００９】
少なくとも２つの中間壁を備え、そのうちの少なくとも１つはＵ形部材の脚部の間にほぼ平行に延在し、そのウェブから突出した縦壁として実施され、またそのうちの少なくとも１つは脚部を連結し、ウェブ上に垂直に直立した横壁として実施される実施形態が特に好ましい。この実施形態は縦壁と横壁の利点を組み合わせたものである。
【００１０】
各々の縦壁が脚部から突出することが有利である。その理由は、毛髪接着器具を備えた付け毛の房を人の頭に取り付ける際に、分割された自毛の房が各縦壁の両側でＵ形部材内に嵌め込まれるからである。毛髪接着器具を引き続いて圧縮する際に、突起した縦壁は最初に開いたＵ形部材を閉鎖することに主として寄与し、それによって極めて確実な溶融接着が得られる。
【００１１】
これに対して、各々の横壁はＵ形部材の脚部から突出して存在し、それによって付け毛の房を取り付ける際に自毛は確実に脚部の間に嵌め込まれ、脚部によって案内されることができる。
【発明を実施するための最良の形態】
【００１２】
次に本発明を図示した実施例を参照してより詳しく説明する。
【００１３】
図１に示したＵ字形の熱可塑性毛髪接着器具１は、例えばほぼ半円形に湾曲したウェブ３によって連結された平行な２つの脚部２を備えている。ウェブ３から縦壁４として実施されている中間壁が突出しており、これは脚部２と平行に延在し、これを越えている。脚部２、ウェブ３、および縦壁４内には付け毛（図示せず）の端部が毛髪接着器具１の製造の途中で、または別個の作業工程で埋め込まれる。付け毛の房を備えたこのような毛髪接着器具１を人の頭に取り付ける場合は、自毛の房（図示せず）が脚部２と縦壁４との間の隙間に挿入される。その後、毛髪接着器具１は熱作用を利用して、または利用せずに変形されることによって、付け毛と自毛とが溶融接着される。その際に圧力は主としてウェブおよび突出した縦壁に加わるので、縦壁は通常は両側に流動し、自毛を良好に包み込む。
【００１４】
図２には、脚部２の間に２つの縦壁４を備え、ウェブ３が真直である、付け毛６を既に埋め込んだ毛髪接着器具５が示されている。付け毛６はそれぞれの端部が脚部２と縦壁４内に押し込まれている。毛髪接着器具５の用途は、毛髪接着器具１に関連して既に説明したとおりである。
【００１５】
図３は横壁８として実施された３つの中間壁を有する毛髪接着器具７を示している。この場合、各々の横壁８はウェブ３からほぼ垂直に突起し、双方の脚部２を連結している。脚部２は横壁８を越えている。ウェブ３は例えば、ほぼ真直であり、脚部２への移行部は丸みを帯びている。この場合も、端部が脚部２とウェブ３内にある、既に埋め込まれた付け毛６が示されている。取付けの際には、自毛（図示せず）は図３については上方から付け毛６に対してほぼ平行にＵ形部材内に挿入されるので、横壁８の前面上に支持される。そこで毛髪接着器具７のプレス（温度作用による、または温度作用なしの圧縮）が行われ、それによって溶融接着が実現し、その際に横壁８は比較的強く流動状態になるので、自毛を良好に被覆する。
【００１６】
最後に図４は縦壁４だけではなく、例えば３つの横壁８をも備えた毛髪接着器具９を示している。この実施形態の場合は付け毛は例えば脚部２と縦壁４だけに埋め込まれ、ウェブ３内には埋め込まれない。この毛髪接着器具９の用途は既に述べたとおりである。溶融接触を保持できることによって、縦壁４と横壁８の利点を併せ持っている。
【図面の簡単な説明】
【００１７】
【図１】本発明によるＵ字形の熱可塑性毛髪接着器具を示す図である。
【図２】付け毛が既に埋め込まれた前記毛髪接着器具の別の実施形態を示す図である。
【図３】付け毛が埋め込まれた前記毛髪接着器具の別の実施形態を示す図である。
【図４】付け毛が埋め込まれた前記毛髪接着器具の別の実施形態を示す図である。
【符号の説明】
【００１８】
１、５、７、９    毛髪接着器具
２    脚部
３    ウェブ
４    縦壁
６    付け毛
８    横壁
【図１】
2004204426.tif 000003
【図２】
2004204426.tif 000004
【図３】
2004204426.tif 000005
【図４】
2004204426.tif 000006